(57)【要約】【課題】所定の飛距離が得られ、打球の方向性が良好であるとともに打ちやすいゴルフクラブヘッドおよびゴルフクラブを提供する。【解決手段】本発明のゴルフクラブヘッドは、外殻構造のボディ体の開口部に、所定のロフト角度に形成されたフェース面を備えるフェース部が接合されており、体積が４００〜４７０ｃｍ３、質量が１８０〜２２０ｇ、フェース面の長さが４５〜６０ｍｍである。フェース面を所定のロフト角度にして水平面に配置した際、重心を通り水平面に直交する垂直な第１の直線を回転軸とする第１の慣性モーメントＭ１が５０００〜６７００ｇ・ｃｍ２であり、重心を通り水平面と平行であり、かつトウ−ヒール方向に延びる第２の直線を回転軸とする第２の慣性モーメントＭ２が３５００〜５０００ｇ・ｃｍ２である。フェース部側の最大高さＨｆと、フェース部と対向する側のバック体の最大高さＨｂとの比、Ｈｆ／Ｈｂが２．３〜３．０である。【選択図】図１
2008220665.tif 000002
【特許請求の範囲】
【請求項１】
ソール部、クラウン部、サイド部およびホーゼル部を備え、外殻構造をなすボディ体と、前記ボディ体の開口部に接合され、ゴルフボールを打撃するフェース面を備えるフェース部とを有し、前記フェース面が所定のロフト角度に形成されているゴルフクラブヘッドであって、
ゴルフクラブヘッドの体積が４００〜４７０ｃｍ３、ゴルフクラブヘッドの質量が１８０〜２２０ｇ、前記フェース部のフェース面の長さが４５〜６０ｍｍであり、
前記フェース面が前記所定のロフト角度になるように水平面に配置した際、重心を通り前記水平面に直交する垂直な第１の直線を回転軸とする第１の回転軸回りの第１の慣性モーメントの大きさをＭ１（ｇ・ｃｍ２）とするとき、前記第１の慣性モーメントＭ１が５０００〜６７００ｇ・ｃｍ２であり、
前記重心を通り前記水平面と平行であり、かつトウ−ヒール方向に延びる第２の直線を回転軸とする第２の回転軸回りの第２の慣性モーメントの大きさをＭ２（ｇ・ｃｍ２）とするとき、前記第２の慣性モーメントＭ２が３５００〜５０００ｇ・ｃｍ２であり、
前記フェース部側の最大高さをＨｆとし、前記フェース部と対向する側における前記バック体の最大高さをＨｂとするとき、前記Ｈｆと前記Ｈｂとの比、Ｈｆ／Ｈｂが２．３〜３．０であることを特徴とするゴルフクラブヘッド。
【請求項２】
ソール部、クラウン部、サイド部およびホーゼル部を備え、外殻構造をなすボディ体と、前記ボディ体の開口部に接合され、ゴルフボールを打撃するフェース面を備えるフェース部とを有し、前記フェース面が所定のロフト角度に形成されているゴルフクラブヘッドであって、
ゴルフクラブヘッドの体積が４００〜４７０ｃｍ３、ゴルフクラブヘッドの質量が１８０〜２２０ｇ、前記フェース部のフェース面の長さが４５〜６０ｍｍであり、
前記フェース面が前記所定のロフト角度になるように水平面に配置した際、重心を通り前記水平面に直交する垂直な第１の直線を回転軸とする第１の回転軸回りの第１の慣性モーメントの大きさをＭ１（ｇ・ｃｍ２）とするとき、前記第１の慣性モーメントＭ１が５０００〜６７００ｇ・ｃｍ２であり、
前記重心を通り前記水平面と平行であり、かつトウ−ヒール方向に延びる第２の直線を回転軸とする第２の回転軸回りの第２の慣性モーメントの大きさをＭ２（ｇ・ｃｍ２）とするとき、前記第２の慣性モーメントＭ２が３５００〜５０００ｇ・ｃｍ２であり、
前記フェース面が前記所定のロフト角度になるように水平面に配置した際、前記水平面から垂直方向に２２．２３ｍｍ離れた前記水平面と平行な基準線とゴルフクラブヘッドとが交わる点を、ヒール側の基準点とし、前記基準点からトウ側の端部までの距離を、前記トウ−ヒール方向における幅Ｗとし、前記フェース部の前記トウ−ヒール方向における最大幅をＷｆとするとき、前記Ｗと前記Ｗｆとの比、Ｗ／Ｗｆが１．２０〜１．３５であることを特徴とするゴルフクラブヘッド。
【請求項３】
前記請求項１または２に記載のゴルフクラブヘッドを有することを特徴とするゴルフクラブ。
【発明の詳細な説明】
【技術分野】
【０００１】
本発明は、質量を増加させることなく、慣性モーメントを大きくしたゴルフクラブヘッド、およびゴルフクラブに関し、特に、所定の飛距離が得られ、打球の方向性が良好であるとともに、打ちやすいゴルフクラブヘッド、およびゴルフクラブに関する。
【背景技術】
【０００２】
近年、ゴルフクラブヘッドにおいて、打撃性能を向上させるために、慣性モーメントを大きくすることがなされており、種々提案されている（特許文献１〜特許文献５参照）。
【０００３】
特許文献１には、正方体または長方体のゴルフクラブヘッドが開示されており、このゴルフクラブヘッドは、体積が４２０〜４７０ｃｍ３である。また、ゴルフクラブヘッドは、水平面に配置した際、重心を通り、この水平面に直交する垂直な直線を回転軸とする回転軸回りの第１の慣性モーメントの大きさが４０００ｇ・ｃｍ２以上であり、重心を通り水平面と平行であり、かつトウ−ヒール方向に延びる第２の直線を回転軸とする回転軸回りの第２の慣性モーメントの大きさが３０００ｇ・ｃｍ２以上である。
【０００４】
また、特許文献２には、重心よりもフェース部側の前方部分の体積が全体の体積のうち５０％以上であり、重心よりも後方側の後方部分の質量が全体の質量のうち５０％以上であるゴルフクラブヘッドが開示されている。
この特許文献２のゴルフクラブヘッドは、体積が４２０〜４７０ｃｍ３である。さらには、第１の慣性モーメントが、４０００ｇ・ｃｍ２以上であり、第２の慣性モーメントの大きさが３０００ｇ・ｃｍ２以上である。
【０００５】
また、特許文献３には、反発係数のばらつきが、０．２２６以下であるゴルフクラブヘッドが開示されている。また、この特許文献３のゴルフクラブヘッドは、フェースの幾何学的中心の反発係数と、このフェース中心から０．５インチ離れた位置の反発係数との差が０．０６５以下である。
さらに、特許文献３のゴルフクラブヘッドは、体積が４２０〜４７０ｃｍ３であり、さらには、４０００ｇ・ｃｍ２以上であり、重心を通り水平面と平行であり、かつトウ−ヒール方向に延びる第２の直線を回転軸とする回転軸回りの第２の慣性モーメントの大きさが３０００ｇ・ｃｍ２以上である。
【０００６】
また、特許文献４には、ヘッド体積が２７０ｃｃ以上、上下方向の慣性モーメントをＭ１ｇ・ｃｍ２、左右方向の慣性モーメントをＭ２ｇ・ｃｍ２、フェース面積をＨ１ｃｍ２としたときに、（Ｍ１×Ｍ２）／Ｈ１≧２２．０であるゴルフクラブヘッドが開示されている。
この特許文献４のゴルフクラブヘッドは、フェース面積に対して、上下方向の慣性モーメントおよび左右方向の慣性モーメントが小さいものである。
【０００７】
また、特許文献５には、ヘッド体積が３５０ｃｍ３以上であり、規定のライ角、フェース角として水平面に載置した基準状態におけるヘッド重心とスイートスポット点とを結ぶ直線を含む垂直断面において、フェース面の最前端部位置からヘッド重心までの水平距離である重心深度Ａと、フェース面の上縁からヘッド最後端部位置までの水平距離であるヘッド奥行き長さＢとの比（Ａ／Ｂ）が０．１〜０．３であり、かつ基準状態においてヘッド重心を通る垂直軸回りの慣性モーメントＩｖが３５００〜６０００ｇ・ｃｍ２であり、しかも基準状態においてヘッド重心を通りかつトウ、ヒール方向にのびる水平軸回りの慣性モーメントＩｈが２０００〜４０００ｇ・ｃｍ２であるゴルフクラブヘッドが開示されている。また、この特許文献５のゴルフクラブヘッドにおいては、フェース面が、曲率半径が３３０〜５０８ｍｍのバルジを有する。
【０００８】
【特許文献１】米国特許出願公開第２００６／０１４８５８６号明細書
【特許文献２】米国特許出願公開第２００６／０１４８５８７号明細書
【特許文献３】米国特許出願公開第２００６／０１４８５８８号明細書
【特許文献４】特開２０００−１９０７１４号公報
【特許文献５】特開２００４−２６１４５１号公報
【発明の開示】
【発明が解決しようとする課題】
【０００９】
しかしながら、特許文献１〜特許文献３のいずれにおいても、第１の慣性モーメントおよび第２の慣性モーメントが大きいものの、実際にゴルフボールを打撃する場合には、打ちにくく、必ずしも扱い易いものではないという問題点がある。
また、特許文献４においては、フェース面積が小さく、かつフェース面積に対して、上下方向の慣性モーメントおよび左右方向の慣性モーメントが小さいため、実際にゴルフボールを打撃する場合には、打ちにくいという問題点がある。
【００１０】
さらに、特許文献５においても、重心深度Ａをヘッド奥行き長さＢに対して規定しているものの、ゴルフクラブヘッドの重心を通るフェース面に垂直な垂線がフェース面に交わる点から水平面に至る重心高さ（符号ＦＧＨ（図３参照））が十分に低いものではなく、実際にゴルフボールを打撃した場合、所定の飛距離を得ることができないという問題点がある。
【００１１】
本発明の目的は、前記従来技術の問題点を解決することにあり、所定の飛距離が得られ、打球の方向性が良好であるとともに、打ちやすいゴルフクラブヘッド、およびゴルフクラブを提供することにある。
【課題を解決するための手段】
【００１２】
上記目的を達成するために、本発明の第１の態様は、ソール部、クラウン部、サイド部およびホーゼル部を備え、外殻構造をなすボディ体と、前記ボディ体の開口部に接合され、ゴルフボールを打撃するフェース面を備えるフェース部とを有し、前記フェース面が所定のロフト角度に形成されているゴルフクラブヘッドであって、ゴルフクラブヘッドの体積が４００〜４７０ｃｍ３、ゴルフクラブヘッドの質量が１８０〜２２０ｇ、前記フェース部のフェース面の長さが４５〜６０ｍｍであり、前記フェース面が前記所定のロフト角度になるように水平面に配置した際、重心を通り前記水平面に直交する垂直な第１の直線を回転軸とする第１の回転軸回りの第１の慣性モーメントの大きさをＭ１（ｇ・ｃｍ２）とするとき、前記第１の慣性モーメントＭ１が５０００〜６７００ｇ・ｃｍ２であり、前記重心を通り前記水平面と平行であり、かつトウ−ヒール方向に延びる第２の直線を回転軸とする第２の回転軸回りの第２の慣性モーメントの大きさをＭ２（ｇ・ｃｍ２）とするとき、前記第２の慣性モーメントＭ２が３５００〜５０００ｇ・ｃｍ２であり、前記フェース部側の最大高さをＨｆとし、前記フェース部と対向する側における前記バック体の最大高さをＨｂとするとき、前記Ｈｆと前記Ｈｂとの比、Ｈｆ／Ｈｂが２．３〜３．０であることを特徴とするゴルフクラブヘッドを提供するものである。
【００１３】
また、本発明においては、ゴルフクラブヘッドを水平面に設置した場合、水平面から垂直方向に２２．２３ｍｍ離れた水平面と平行な基準線とゴルフクラブヘッドとが交わる点を、ヒール側の基準点とし、基準点からトウ側の端部までの距離を、前記トウ−ヒール方向における幅Ｗとし、フェース部のトウ−ヒール方向における最大幅をＷｆとするとき、ＷとＷｆとの比、Ｗ／Ｗｆが１．２０〜１．３５であることが好ましい。
【００１４】
本発明の第２の態様は、ソール部、クラウン部、サイド部およびホーゼル部を備え、外殻構造をなすボディ体と、前記ボディ体の開口部に接合され、ゴルフボールを打撃するフェース面を備えるフェース部とを有し、前記フェース面が所定のロフト角度に形成されているゴルフクラブヘッドであって、ゴルフクラブヘッドの体積が４００〜４７０ｃｍ３、ゴルフクラブヘッドの質量が１８０〜２２０ｇ、前記フェース部のフェース面の長さが４５〜６０ｍｍであり、前記フェース面が前記所定のロフト角度になるように水平面に配置した際、重心を通り前記水平面に直交する垂直な第１の直線を回転軸とする第１の回転軸回りの第１の慣性モーメントの大きさをＭ１（ｇ・ｃｍ２）とするとき、前記第１の慣性モーメントＭ１が５０００〜６７００ｇ・ｃｍ２であり、前記重心を通り前記水平面と平行であり、かつトウ−ヒール方向に延びる第２の直線を回転軸とする第２の回転軸回りの第２の慣性モーメントの大きさをＭ２（ｇ・ｃｍ２）とするとき、前記第２の慣性モーメントＭ２が３５００〜５０００ｇ・ｃｍ２であり、前記フェース面が前記所定のロフト角度になるように水平面に配置した際、前記水平面から垂直方向に２２．２３ｍｍ離れた前記水平面と平行な基準線とゴルフクラブヘッドとが交わる点を、ヒール側の基準点とし、前記基準点からトウ側の端部までの距離を、前記トウ−ヒール方向における幅Ｗとし、前記フェース部の前記トウ−ヒール方向における最大幅をＷｆとするとき、前記Ｗと前記Ｗｆとの比、Ｗ／Ｗｆが１．２０〜１．３５であることを特徴とするゴルフクラブヘッドを提供するものである。
【００１５】
本発明においては、フェース面が所定のロフト角度になるように水平面に配置した際、ゴルフクラブヘッドの重心を通るフェース面に垂直な垂線がフェース面に交わる点と、フェース面の中心との距離が、フェースの中心からフェース面に沿ってクラウン側に向かう方向において１０ｍｍ以下であることが好ましい。
また、本発明においては、前記フェース面のフェース面積は、４０ｃｍ２以下であることが好ましい。
さらに、本発明においては、前記ゴルフクラブヘッドの重心位置の後退量は、２５〜３５ｍｍであることが好ましい。
また、本発明においては、前記フェース部は、金属または合金により構成され、前記バック体は、少なくともその一部が繊維強化複合材料により構成されていることが好ましい。
さらにまた、本発明においては、前記フェース部のフェース面は、トウ−ヒール方向における曲率が３５０〜７００ｍｍであることが好ましい。
【００１６】
また、本発明においては、ゴルフクラブヘッドの寸法は、Ｒ＆Ａ（イギリスゴルフ協会）が定めるゴルフ規則範囲内であることが好ましい。
このゴルフクラブヘッドの寸法とは、例えば、トウ−ヒール方向の寸法、およびトウ−ヒール方向と直交するフェース面からバック体に向かう方向における寸法のことである。
【００１７】
さらに、本発明の第３の態様は、本発明の第１の態様または第２の態様のゴルフクラブヘッドを有することを特徴とするゴルフクラブを提供するものである。
【発明の効果】
【００１８】
本発明の第１の態様のゴルフクラブヘッドによれば、ゴルフクラブヘッドの体積を４００〜４７０ｃｍ３、ゴルフクラブヘッドの質量を１８０〜２２０ｇ、フェース面の長さを４５〜６０ｍｍとし、第１の慣性モーメントＭ１を５０００〜６７００ｇ・ｃｍ２とし、第２の慣性モーメントＭ２を３５００〜５０００ｇ・ｃｍ２とし、さらにフェース部側の最大高さＨｆと、フェース部と対向する側におけるバック体の最大高さＨｂとの比、Ｈｆ／Ｈｂを２．３〜３．０とすることにより、ゴルフクラブヘッドの重心の位置をフェース部からその反対側の離れた位置としても、フェース面上における重心位置を低くすることができ、所定の飛距離を得ることができ、また、ゴルフボールの打撃する場合、打点位置がばらついても、ゴルフボールの初速の低下を少なくできる。さらには、フェース面の長さを４５〜６０ｍｍと、従来のものと同じ程度にしているため、ゴルフボールを打撃する場合、打ちやすい。これらのことから、本発明の第１の態様のゴルフクラブヘッドによれば、所定の飛距離が得られ、方向性のばらつきがなく方向安定性が優れ、さらには打ちやすい。
【００１９】
また、本発明の第２の態様のゴルフクラブによれば、ゴルフクラブヘッドの体積を４００〜４７０ｃｍ３、ゴルフクラブヘッドの質量を１８０〜２２０ｇ、フェース面の長さを４５〜６０ｍｍとし、第１の慣性モーメントＭ１を５０００〜６７００ｇ・ｃｍ２とし、第２の慣性モーメントＭ２を３５００〜５０００ｇ・ｃｍ２とし、さらにゴルフクラブヘッドを水平面に設置した場合、水平面から垂直方向に２２．２３ｍｍ離れた水平面と平行な基準線とゴルフクラブヘッドとが交わる点を、ヒール側の基準点とし、基準点からトウ側の端部までの距離を、トウ−ヒール方向における幅Ｗとし、フェース部のトウ−ヒール方向における最大幅をＷｆとの比、Ｗ／Ｗｆを１．２０〜１．３５とすることにより、第１の慣性モーメントＭ１および第２の慣性モーメントＭ２を所定の大きさに保った状態で、フェース部の大きさを従来のものと同程度にできる。このため、ゴルフボールの打撃する場合、打点位置がばらついても、ゴルフボールの初速の低下を少なくすることができ、所定の飛距離が得られるとともに、かつ方向性のばらつきもなくすことができる。さらには、フェース部の大きさを従来のものと同程度にしているため、ゴルフボールを打撃する場合、打ちやすい。
これらのことから、本発明の第２の態様のゴルフクラブヘッドによれば、所定の飛距離が得られ、方向性のばらつきがなく方向安定性が優れ、さらには打ちやすいものとなる。
【００２０】
また、本発明の第３の態様のゴルフクラブによれば、ゴルフボールを打撃する場合、打ちやすく、さらには、打点位置がばらついても、ゴルフボールの初速の低下を少なくすることができ、所定の飛距離が得られるとともに、かつ方向性のばらつきもなくすことができる。
【発明を実施するための最良の形態】
【００２１】
以下に、添付の図面に示す好適実施形態に基づいて、本発明のゴルフクラブヘッド、およびゴルフクラブを詳細に説明する。
【００２２】
図１（ａ）は、本発明の第１の実施形態に係るゴルフクラブを示す正面図であり、（ｂ）は、本発明の第１の実施形態に係るゴルフクラブを示す側面図である。図２は、本発明の第１の実施形態に係るゴルフクラブを示す平面図である。図３は、本発明の第１の実施形態に係るゴルフクラブを示す模式的断面図である。なお、図１（ｂ）、図２、および図３においては、ゴルフクラブシャフト３６の図示を省略している。
【００２３】
図１（ａ）に示すように、ゴルフクラブ１０は、ゴルフクラブヘッド２０と、ゴルフクラブシャフト３６とを有する。
ゴルフクラブヘッド２０は、フェース部２２、およびバック体２４を有する中空構造体である。このバック体２４は、ソール部２６、クラウン部２８、サイド部３０およびホーゼル部３２を有する。
本実施形態のゴルフクラブヘッド２０では、フェース部２２、ソール部２６、クラウン部２８およびサイド部３０は、それぞれ板状に成形されている。
バック体２４においては、フェース部２２、ソール部２６、クラウン部２８およびサイド部３０の部材が相互に接合されて外殻構造を構成している。このバック体２４においては、ソール部２６、クラウン部２８およびサイド部３０により開口部（図示せず）が形成される。この開口部にフェース部２２が、図１（ｂ）に示すように、所定のロフト角度θとなるように接合されている。
【００２４】
なお、フェース部２２の形態は、平板状でもよく、一般にカップフェースと呼ばれている形態のものでもよい。また、フェース部２２は、厚さが、２．８〜３．５ｍｍであることが好ましく、反発係数を大きくするため、または軽量化のために、厚さを薄くするものではない。
【００２５】
また、図１（ａ）に示すように、ホーゼル部３２は、ゴルフクラブシャフト３６をゴルフクラブヘッド２０に固定するものであり、クラウン部２８に設けられている。このホーゼル部３２には、ゴルフクラブシャフト３６が挿入される開口部３４が設けられている。ゴルフクラブシャフト３６は、例えば、先端部に、接着剤が塗布された状態で、開口部３４に挿入されて、ゴルフクラブヘッド２０に固定される。このゴルフクラブシャフト３６は、ゴルフクラブヘッド２０が取り付けられる反対側にグリップ（図示せず）が取り付けられている。
なお、ゴルフクラブシャフト３６は、例えば、ゴルフクラブシャフト３６を挿通可能な開口部が形成されたソケットを介して、ゴルフクラブヘッド２０に固定してもよい。
【００２６】
フェース部２２は、その表面がゴルフボールを打撃するフェース面２２ａとなるものである。このフェース面２２ａのトウ側からヒール側に向かう水平方向に伸びたスコアライン（図示せず）が形成されている。
【００２７】
本実施形態のゴルフクラブヘッド２０においては、図２に示すように、バック体２４が全体的に従来のものよりも大きくトウ側のサイド領域２８ａが張り出しており、更にフェース面２４ａに対向する反対側のバック領域２８ｂも張り出している。このゴルフクラブヘッド２０は、従来のゴルフクラブヘッドと比較して、平面視において矩形に近い形状を呈する。
本実施形態のゴルフクラブヘッド２０においては、これらのサイド領域２８ａおよびバック領域２８ｂを張り出す構成は、重心位置および慣性モーメントを調整するための構成であり、ゴルフクラブヘッド２０に要求される重心位置および慣性モーメントに応じて、サイド領域２８ａおよびバック領域２８ｂの張出具合など、適宜形状が変更される。
本実施形態においては、バック体２４のサイド領域２８ａおよびバック領域２８ｂにおける張出具合を変えることにより、ゴルフクラブヘッド２０全体の重量バランスを容易に変えることができる。このため、ゴルフクラブヘッド２０の重心位置および慣性モーメントを容易に調整することができる。
【００２８】
また、本実施形態のゴルフクラブヘッド２０は、その体積が４００〜４７０ｃｍ３であり、質量が１８０〜２２０ｇである。また、フェース部２２のフェース面２２ａの長さは、４５〜６０ｍｍである。また、フェース部２２のフェース面２２ａの面積は、４０ｃｍ２以下であることが好ましい。
また、フェース部２２のフェース面２２ａは、トウ−ヒール方向における曲率が３５０〜７００ｍｍであることが好ましい。このフェース面２２ａの曲率は、単一であることが好ましいが、フェース面２２ａが複数の曲面により形成され、曲率が複数種あるものでもよい。
さらには、ゴルフクラブヘッド２０の寸法は、Ｒ＆Ａ（イギリスゴルフ協会）が定めるゴルフ規則範囲内であることが好ましい。このゴルフクラブヘッドの寸法とは、例えば、トウ−ヒール方向の寸法、およびトウ−ヒール方向と直交するフェース面２２ａからバック体２４に向かう方向における寸法のことである。
【００２９】
本実施形態においては、フェース部２２のフェース面２２ａの長さＤは、ソール２６からクラウン２８に向う方向（以下、ソール−クラウン方向という）において、フェース部２２のフェースセンタＦｃを通る長さのことであり、フェース面２２ａの表面に沿って測定される。このため、フェース部２２のフェース面２２ａの長さＤは、フェース部２２の高さとは異なる。
また、フェースセンタＦｃは、図１（ａ）に示すように、トウ−ヒール方向におけるフェース面２２ａの両端部の距離を、フェース面２２ａの幅Ｗｆとし、その中心線をフェース幅Ｗｆの中心線ｍ１とする。このフェース面２２ａの幅Ｗｆにおける中心線ｍ１と、ソール−クラウン方向におけるフェース面２２端部との２つの交点Ｐｃ、Ｐ１間を通り、その交点に垂直な線をフェース高さの中心線ｍ２とする（交点Ｐ１−交点Ｐｃ間の半分の位置がフェースセンタＦｃとなる。）。
フェース幅の中心線ｍ１とフェース高さの中心線ｍ２との交点をフェース面２２ａの中心、すなわち、フェースセンタＦｃとする（図１（ａ）において、ＦｃＰ１＝ＦｃＰｃ）。
【００３０】
また、本実施形態においては、図３に示すように、ゴルフクラブヘッド２０をフェース面２２ａが所定のロフト角度θになるように水平面Ｂ上に配置したとき、すなわち、ゴルフクラブ１０を水平面Ｂに通常のアドレスポジションに設置したとき、重心Ｇを通り水平面Ｂに直交する垂直な第１の直線Ｖを回転軸とする第１の回転軸回りの第１の慣性モーメントの大きさをＭ１（ｇ・ｃｍ２）とするとき、この第１の慣性モーメントＭ１が５０００〜６７００ｇ・ｃｍ２に調整されている。この第１の慣性モーメントＭ１は、フェース面２２ａがトウ側またはヒール側に向きを変えて回転するときの慣性モーメントである。
さらに、本実施形態においては、図３に示すように、ゴルフクラブヘッド２０をフェース面２２ａが所定のロフト角度θになるように水平面Ｂ上に配置した際、重心Ｇを通り水平面Ｂと平行であり、かつトウ−ヒール方向に延びる第２の直線ＬＨを第２の回転軸とする回転軸回りの第２の慣性モーメントの大きさをＭ２（ｇ・ｃｍ２）とするとき、この第２の慣性モーメントＭ２が３５００〜５０００ｇ・ｃｍ２に調整されている。この第２の慣性モーメントＭ２は、フェース面２２ａがソール２６側またはクラウン２８側に向きを変えて回転するときの慣性モーメントである。
【００３１】
ここで、ゴルフクラブ１０を通常のアドレスポジションとは、ゴルフクラブヘッド２０をライ角度通りに設置し、かつ、図４に示すゴルフクラブヘッド２０ように、ゴルフクラブヘッド２０に取り付けるゴルフクラブシャフト３６のシャフト軸Ｓとリーディングエッジとが互いに平行になるように設置することをいう。
【００３２】
本実施形態においては、リーディングエッジ２３が曲線であるため、フェース面２２ａが指す方向と直角な方向を示す線Ｚにてリーディンエッジを代用する。なお、リーディングエッジ２３は、ゴルフクラブヘッド２０が最も飛球線方向に張り出している箇所である。
また、ライ角度通りに設置とは、図１（ａ）において、ソール部２６のラウンドと水平面Ｂとのなす隙間がトウ側及びヒール側にて略等しくなる状態に設置することをいう。
なお、ソール部２６のラウンドが不明瞭な場合は、フェース面２２ａに描かれるスコアラインが水平面Ｂに平行になるように設置してもよい。さらに、ソール部２６のラウンドが不明瞭でかつスコアラインが直線状でない等により水平面Ｂとの平行が判別できない場合は、ライ角度は６０°である。
【００３３】
ここで、クラブ長さは、社団法人日本ゴルフ用品協会が定める測定法により測定される。測定器としては、株式会社鴨下精衡所製のクラブ・メジャーIIが挙げられる。即ち、ヒール側の端部とグリップエンドとの間の距離をクラブ長さとするのである。
アドレスポジションにおいて、リーディングエッジ２３の方向はフェース面２２ａが指す方向と直角な方向に設定される。
【００３４】
上述のようにフェース面２２ａの方向を特定し、通常のアドレスポジションを設定した状態で行うゴルフクラブヘッドの寸法測定は、昇峰企業社製の高爾夫球頭測度台、ゴルフギャレーヂ社製のゴルフクラブアングル測定器、ゴルフスミス社製のゴルフクラブゲージ等の測定器により可能である。このような測定器は公知のものであれば良く、本発明においては、特に限定されるものではない。
【００３５】
また、ロフト角度θについては、例えば、昇峰企業社製の高爾夫球頭測度台、ゴルフギャレーヂ社製のゴルフクラブアングル測定器、ゴルフスミス社製のゴルフクラブゲージ等、公知の測定器により測定される。なお、ロフト角度θの測定器は、公知のものであれば良く、本発明において、特に限定されるものではない。
【００３６】
本実施形態においては、第１の慣性モーメントＭ１を５０００〜６７００ｇ・ｃｍ２とし、第２の慣性モーメントＭ２を、３５００〜５０００ｇ・ｃｍ２とすることにより、ゴルフボールの打撃時に、ゴルフクラブヘッド２０のヒール−トウ方向およびソール−クラウン方向におけるフェース面２２ａの回転が抑制される。このため、打球の方向性のばらつきを小さくでき、打球の方向安定性が高くなる。
なお、第１の慣性モーメントＭ１および第２の慣性モーメントＭ２の測定方法については、後に詳細に説明する。
【００３７】
また、本実施形態のゴルフクラブヘッド２０においては、フェース部２２側の最大高さをＨｆとし、フェース部２２と対向する側（バック領域２８ｂ）におけるバック体２４の最大高さをＨｂとするとき、フェース部２２側の最大高さＨｆと、バック領域２８ｂ側におけるバック体２４の最大高さＨｂとの比、Ｈｆ／Ｈｂが２．３〜３．０である。
フェース部２２側の最大高さＨｆとは、ゴルフクラブヘッド２０をフェース面２２ａが所定のロフト角度θになるように水平面Ｂ上に設置した場合、水平面Ｂからフェース部２２側においてゴルフクラブヘッド２０の最も高い点Ｐ１までの水平面Ｂに対して垂直な方向における距離のことをいう。
また、バック領域２８ｂ側におけるバック体２４の最大高さＨｂとは、ゴルフクラブヘッド２０をフェース面２２ａが所定のロフト角度θになるように水平面Ｂ上に設置した場合、水平面Ｂからバック領域２８ｂ側においてゴルフクラブヘッド２０の最も高い点Ｐ２までの水平面Ｂに対して垂直な方向における距離のことをいう。
【００３８】
本実施形態のゴルフクラブヘッド２０においては、Ｈｆ／Ｈｂを２．３〜３．０とすることにより、フェース面２２ａ上における重心位置、すなわち、後述する点ｇの位置が水平面Ｂから高くなることが抑制されるため、ゴルフボールの打出角度が低くなることがなく、所定の飛距離を得ることができる。さらには、フェース部２２のフェース面２２ａの長さＤが４５〜６０ｍｍであるため、Ｈｆ／Ｈｂを２．３〜３．０としても、フェース面２２ａが小さく見える錯覚が抑制され、従来のゴルフクラブヘッドと変わらない使用感が得られ、スイングがしやすく、打ちやすい。
【００３９】
また、本実施形態のゴルフクラブヘッド２０においては、図１（ａ）に示すように、ゴルフクラブヘッド２０をフェース面２２ａが所定のロフト角度θになるように水平面Ｂ上に設置した場合、この水平面Ｂから垂直方向にｈ（ｈ＝２２．２３ｍｍ）離れた水平面Ｂと平行な基準線αとゴルフクラブヘッド２０とが交わる点を、ヒール側の基準点Ｑ１とし、この基準点Ｑ１からトウ側の端部Ｑ２までの距離を、トウ−ヒール方向における幅Ｗとする。
本実施形態においては、トウ−ヒール方向における幅Ｗと、フェース面２２ａの幅Ｗｆとの比、Ｗ／Ｗｆを１．２０〜１．３５とすることが好ましい。
Ｗ／Ｗｆを１．２０〜１．３５とすることにより、フェース部の大きさを従来のものと同程度にすることができる。このため、フェース面２２ａの面積が大きくなり、重心位置がトウ側になることが抑制され、打球がスライスすることも抑制される。さらには、Ｗ／Ｗｆを１．２０〜１．３５とすることにより、フェース面２２ａが小さく見える錯覚が抑制され、従来のゴルフクラブヘッドと変わらない使用感が得られ、スイングがしやすく、打ちやすい。
【００４０】
また、ゴルフクラブヘッド２０の重心高さＦＧＨは、ゴルフクラブヘッド２０に設定されている所定のロフト角度θになるように水平面Ｂに配置したとき、ゴルフクラブヘッド２０の重心Ｇを通りフェース面２２ａに直交する垂直な線Ｌがフェース面２２ａと交わる点ｇの水平面Ｂからの高さである。この重心高さＦＧＨは、フェースセンタＦｃからクラウン２８に向う方向における距離ｄが１０ｍｍ以内に調整されている。
すなわち、点ｇとフェースセンタＦｃとの距離ｄは、フェースセンタＦｃからクラウン２８に向う方向において、フェース幅Ｗｆの中心線ｍ１に沿った距離が１０ｍｍ以内である。
本実施形態のゴルフクラブ２０において、重心高さＦＧＨは、打出し角度およびスピン量に影響を与えるものである。重心高さＦＧＨは、低い方がゴルフボールの下側を打撃することができる。このため、打出し角度を大きくすることができ、所定の飛距離を得ることができる。
【００４１】
また、本実施形態において、ゴルフクラブヘッド２０の重心位置の後退量ＧＲは、２５〜３５ｍｍであることが好ましい。この重心位置の後退量ＧＲとは、シャフト軸Ｓと、重心Ｇを通る第１の直線Ｖとの水平面Ｂと平行な方向における距離のことである。
この場合、ゴルフクラブ１０のシャフト軸Ｓから重心Ｇ位置まで十分な距離が得られ、スイートスポットが広くなり、打球したゴルフボールが高く上がり易くなり、飛距離を得ることができる。この重心位置の後退量ＧＲが、大きくなりすぎると、重心高さＦＧＨが高くなり、打出し角度を大きくしにくくなり、所定の飛距離を得ることが難しくなる。
なお、重心高さＦＧＨおよび重心位置の後退量ＧＲの測定方法については、後に詳細に説明する。
【００４２】
本実施形態において、フェース部２２を、金属または合金により形成し、バック体２４は、複合材料により構成することが好ましい。しかし、バック体２４の構成は、複合材料により構成するものに、特に限定されるものではなく、ソール部２６およびクラウン部２８を複合材料により形成し、サイド部３０を金属または合金により形成してもよい。さらには、ソール部２６、クラウン部２８、およびサイド部３０も、金属または合金により形成してもよい。
【００４３】
本実施形態において、フェース部２２、ソール部２６、クラウン部２８、およびサイド部３０を、例えば、チタン合金により形成することができる。この場合、チタン合金としては、例えば、神戸製鋼所社製、ＫＳ１２０（商品名（組成：Ｔｉ−０．５Ｆｅ−０．３Ｏ−０．６Ｓｉ））、神戸製鋼所社製、Ｔｉ−８１１−Ｃ（組成：Ｔｉ−８Ａｌ−１Ｍｏ−１Ｖ−０．１５Ｃ）、およびＴｉ−１５Ｖ−３Ｃｒ−３Ａｌ−３Ｓｎの組成を有するチタン合金を用いることができる。
また、チタン合金としては、ＪＦＥホールディング社製、ＳＰ７００（商品名（組成：Ｔｉ−４．５Ａｌ−３Ｖ−２Ｍｏ−２Ｆｅ））を用いることができる。
さらには、チタン合金としては、大同特殊鋼社製、ＶＬＴｉ（商品名（組成：Ｔｉ−６Ａｌ−１Ｆｅ））および大同特殊鋼社製、ＣＡＴｉ（商品名（組成：Ｔｉ−３Ａｌ−１３Ｃｒ−１Ｆ））ならびに新日本製鉄社製、５１ＡＦ（商品名（組成：Ｔｉ−５Ａｌ−１Ｆｅ））を用いることができる。
【００４４】
また、複合材料としては、ＣＦＲＰなどの強化繊維によりマトリクス樹脂を強化されたものを用いることができる。この強化繊維としては、例えば、炭素繊維、ボロン繊維、ガラス繊維、アルミナ繊維、炭化珪素繊維、および窒化珪素繊維などの無機繊維、アラミド繊維、ポリアリレ−ト繊維、ポリエチレン繊維、およびポリエステル繊維などの有機繊維、またはチタン繊維、アモルファス繊維、およびステンレス鋼繊維などの金属繊維が例示される。また、強化繊維としては、先の例示したものの中から、複数種を選択し、それを強化繊維として用いてもよい。
また、強化繊維の配向については、所定の方向に整列して配置するか、またはクロス（織布）の状態で使用してもよい。更に、これらの強化繊維またはクロスが１または複数（層）重ねて設けられたものであっても、本発明においては、１層のＦＲＰ層とする。
【００４５】
また、マトリクス樹脂としては、エポキシ樹脂、不飽和ポリエステル樹脂、ポリウレタン樹脂、ジアリルフタレート樹脂、およびフェノール樹脂などの熱硬化性マトリクス樹脂が例示される。
【００４６】
なお、マトリクス樹脂としては、エポキシ樹脂が好ましい。このようなマトリクス樹脂としては、例えば、グリシジルエーテル系エポキシ樹脂（ビスフェノールＡ、Ｆ、Ｓ系エポキシ樹脂、ノボラック系エポキシ樹脂、臭素化ビスフェノールＡ系エポキシ樹脂）、環式脂肪族エポキシ樹脂、グリシジルエステル系エポキシ樹脂、テトラグリシジルジアミノジフェニルメタンまたはトリグリシジル−ｐ−アミノフェノールなどのグリシジルアミン系エポキシ樹脂、および複素環式エポキシ樹脂が例示される。さらに、マトリクス樹脂としては、これらの他に種々のエポキシ樹脂から選択される１種又は複数種を使用することもできる。本実施形態におけるマトリクス樹脂としては、特に、ビスフェノールＡ、Ｆ、Ｓグリシジルアミン系エポキシ樹脂が好適である。
【００４７】
また、硬化剤としては、アミン系硬化剤、例えば、ジシアンジアミド（ＤＩＣＹ）、ジアミノジフェニルスルフォン（ＤＤＳ）、ジアミノジフェニルメタン（ＤＤＭ）；酸無水物系、例えばヘキサヒドロ無水フタル酸（ＨＨＰＡ）、メチルヘキサヒドロ無水フタル酸（ＭＨＨＰＡ）などが例示される。硬化剤としては、特に、アミン系硬化剤を好適に使用することができる。
【００４８】
なお、ＦＲＰ層には、プリプレグを用いることもできる。このプリプレグとしては、例えば、東レ社製のＰ３２５１Ｓ−１５（商品名）、東レ社製のＰ２２５３Ｆ−１７（商品名）  ＵＤプリプレグ、または東レ社製のＦ６３４３Ｂ−０５Ｐ（商品名）  クロスプリプレグが例示される。
【００４９】
本実施形態のゴルフクラブ１０（ゴルフクラブヘッド２０）においては、重心高さＦＧＨ、および重心位置の後退量ＧＲならびに第１の慣性モーメントＭ１および第２の慣性モーメントＭ２の調整は、バック体２４のサイド領域２８ａおよびバック領域２８ｂの張出具合を調整することによりでき、従来のゴルフクラブヘッドに比べて第１の慣性モーメントＭ１および第２の慣性モーメントＭ２を大きくすることができる。また、Ｈｆ／Ｈｂを２．３〜３．０とすることにより、重心高さＦＧＨの高さを低くできる、すなわち、フェースセンタＦｃと点ｇとの距離ｄを短くすることができる。
このように、本実施形態のゴルフクラブ１０（ゴルフクラブヘッド２０）においては、第１の慣性モーメントＭ１および第２の慣性モーメントＭ２を所定の大きさに保った状態で、フェース部２２の大きさを従来のものと同程度にすることができる。このため、ゴルフボールの打撃する場合、打点位置がばらついても、例えば、フェースセンタＦｃから３０ｍｍずれた位置で打撃しても、ゴルフボールの初速の低下を少なくすることができる。これにより、所定の飛距離が得られるとともに、かつ方向性のばらつきもなく、方向安定性が優れる。さらには、フェース面の長さＤを４５〜６０ｍｍと、従来のものと同じ程度にしているため、ゴルフボールを打撃する場合、打ちやすい。
さらに、本実施形態のゴルフクラブ１０（ゴルフクラブヘッド２０）においては、Ｗ／Ｗｆを１．２０〜１．３５とすることにより、フェース部２２の大きさを従来のものと同程度にすることができ、重心位置がトウ側になることが抑制され、更にはフェース面２２ａが小さく見える錯覚が抑制される。これにより、飛距離が更に得られ、方向性のばらつきが更になく方向安定性が優れ、更に打ちやすいものとなる。
【００５０】
以下、本発明のゴルフクラブにおける重心位置の後退量ＧＲおよび重心高さＦＧＨならびに第１の慣性モーメントＭ１および第２の慣性モーメントＭ２の測定方法について説明する。
まず、重心位置の後退量ＧＲの測定方法ついて、図５および図６を参照して、詳細に説明する。
図５は、ゴルフクラブヘッドの重心の後退量の測定に用いる測定装置を示す模式図であり、図６は、ゴルフクラブヘッドの重心の後退量の測定方法を説明するための模式図である。
【００５１】
重心位置の後退量ＧＲは、図５に示すように、支点４２を中心に矢印Ｕの方向に揺動可能なシーソー型の天秤計４０を用いて測定する。
天秤計４０には、ゴルフクラブヘッド２０のホーゼル部３２の開口部３４に対して隙間のない嵌め合いを持つシャフトピン４４が設けられており、この天秤計４０は、ゴルフクラブヘッド２０および質量体を装着しない状態では、アーム４６が水平になるように釣り合っている。
【００５２】
ゴルフクラブヘッド２０の重心位置後退量ＧＲの測定する場合、図６に示すように、シャフトピン４４に質量ＭＨのゴルフクラブヘッド２０を装着する。このとき、ゴルフクラブヘッド２０の重心Ｇを通りフェース面２２ａに直交する垂直な線Ｌが、アーム４６の長手方向に対して平行となるように装着されている。
次に、アーム４６が水平に釣り合うような質量ＭＷの質量体４５およびこの質量体４５の重心ＧＷから支点までの長さβを選択する。
【００５３】
以上より、ゴルフクラブヘッド２０の重心位置の後退量ＧＲは、釣り合いの式、ＭＨ×ＧＲ＝ＭＷ×βを用いて、ＧＲ＝（ＭＷ×β）／ＭＨに基づいて求めることができる。
以上のようにして、ゴルフクラブ１０のシャフト軸Ｓからの重心位置の後退量ＧＲを測定することができる。この重心位置の後退量ＧＲの測定には、例えば、測定器として、株式会社鴨下精衡所製の重心測定器を用いることができる。
【００５４】
次に、重心高さＦＧＨの測定方法について、図７〜図９を参照して詳細に説明する。
本実施形態において、重心高さＦＧＨを規定する点ｇは、図７に示すような重心測定器５０によって求められる。重心測定器５０は、上部に重心測定対象物を支持する支持部５２を備え、この支持部５２が測定対象物を平衡に支持する測定対象物の位置を知ることができるものである。すなわち、重心の測定方法は、図８（ａ）に示すようにゴルフクラブヘッド２０を、支持部５２に載せ、手を放しても落ちない平衡な位置を探しだす。つまり、図８（ａ）に示すように、フェース面２２ａと支持部５２の接触部に点ｇを含んでいれば、ゴルフクラブヘッド２０を支持部５２に載せて手を放しても落ちないが、図８（ｂ）に示すように、フェース面２２ａと支持部５２の接触部に点ｇを含んでいなければ、ゴルフクラブヘッド２０は、支持部５２に載せて手を放すと落ちる。このことを利用して点ｇを求めるものである。
支持部５２は平面または３点以上で支持する形態であることが好ましい。また、支持部５２の面積は、１５ｍｍ２以下であることが好ましい。また、下限はゴルフクラブヘッドが支えられる限り特に限定されない。支持部５２の面積は、平面であれば平面部分の面積、３点以上で支持する形態であれば各点を結んだ図形の面積によって示される。支持部の面積を上記の範囲に設定することによって、より正確に点ｇを求めることができる。
【００５５】
支持部５２によって支持された平面は水平または概ね水平になることが好ましい。ここで、概ね水平とは、水平面に対する傾きが２°以内、好ましくは１°以内のことである。水平または概ね水平になっているか否かは、例えば、図９に示すように、支持部５２に平面板５４を載せて支持させ、平面板５４の上に水準器５６を置き、確認し、調整することができる。上記範囲内に設定することによって、より正確に点ｇを求めることが可能になる。この点ｇに基づいて、重心高さＦＧＨを測定することができる。また、点ｇを測定することにより、フェースセンタＦｃとの距離ｄを得ることができる。
【００５６】
次に、図１０〜図１３を参照して、上述の第１の慣性モーメントＭ１および第２の慣性モーメントＭ２の測定方法について詳細に説明する。
ここで、図１０は、ゴルフクラブヘッドの慣性モーメント測定器を示す模式的斜視図である。第１の慣性モーメントＭ１および第２の慣性モーメントＭ２は、いずれも図１０に示す慣性モーメント測定器により測定される。
【００５７】
慣性モーメント測定器６０は、測定部６２、演算部６４、スタートレバー６６、表示部６８、操作ボタン６９を備え、測定部６２の上に慣性モーメントの測定対象物が載置され、スタートレバー６６を手で摘んで変位させた後、手を放して捩れ振動させ、この時の捩れ振動の周期を測ることによって演算部６４を通して慣性モーメントを測定し、表示部６８に慣性モーメントの数値を表示する装置である。
なお、慣性モーメント測定器６０として、Ｉｎｅｒｔｉａ  Ｄｙｎａｍｉｃｓ社製、慣性モーメント測定器  Ｍｏｄｅｌ  ＭＯＩ−００５−０１４が例示される。このような慣性モーメント測定器は公知のものであればよく、本発明において、特に制限されない。
【００５８】
図１１（ａ）に示すように、慣性モーメント測定器６０に治具７０を固定して、治具７０の慣性モーメントＩａを測定する。
次いで、図１１（ｂ）に示すように、治具７０の上面部７２にゴルフクラブヘッド２０のソール部２６を固定して、ゴルフクラブヘッド２０および治具７０の合計の慣性モーメントＩｂを測定する。次に、得られた各慣性モーメントＩａ、Ｉｂから、（Ｉｂ−Ｉａ）よりゴルフクラブヘッド２０の第１の慣性モーメントＭ１を得る。
なお、通常の慣性モーメント測定器６０では、上記Ｉａの数値は、操作ボタン６９を駆使し一連の手順によって自動的に風袋引きをされ、（Ｉｂ−Ｉａ）の数値が表示される。
【００５９】
なお、ゴルフクラブヘッド２０と治具７０とを固定するためには、例えば、両面テープ、粘土等の粘着体による固定、接着剤による固定、または磁力を用いた固定などが挙げられる。
固定は、ゴルフクラブヘッド２０のソール部２６が治具７０の上面部７２に固定される。しかしながら、ソール部２６が凸の曲面を有していれば、上面部７２は凸の曲面に合致するような凹の曲面であることが好ましく、ソール部２６が平面であれば、上面部７２は平面であることが好ましい。つまり、固定する両面が合致することが好ましい。
ゴルフクラブヘッド２０のソール部２６が曲面である場合には、粘着体（図示せず）をソール部２６及び上面部７２に合致するように設け、ゴルフクラブヘッド２０を固定する。この場合、粘着体のように接着剤などの固定手段の内質量を有するものは、治具の一部に含まれ、風袋引きにおいては治具と同様に風袋として引かれることは言うまでもない。
【００６０】
ゴルフクラブヘッド２０は、図１２（ａ）に示すゴルフクラブヘッド２０の重心Ｇを通り、水平面Ｂに直交する第１の直線Ｖと、図１２（ｂ）に示す慣性モーメント測定器６０の捩れ振動の回転軸Ｒとが、図１２（ｃ）に示すように一致もしくは概ね一致するように慣性モーメント測定器６０に固定されることが好ましい。
概ね一致とは、回転軸Ｒが水平面Ｂを通る点と第１の直線Ｖが水平面Ｂを通る点ｐとのなす距離が３ｍｍ以内、好ましくは２ｍｍ以内、より好ましくは１ｍｍ以内とすることである。
この範囲内にゴルフクラブヘッド２０のソール部２６を固定することによって、より正確にゴルフクラブヘッド２０の第１の慣性モーメントＭ１を測定することが可能になる。点ｇは、上述したように、図７に示す重心測定器５０によって求められる。
【００６１】
また、上記回転軸Ｒがソール部２６を通る点と点ｇとの距離を上記範囲内とする必要は必ずしもなく、この距離を知り、自動的に風袋引きをして得られた（Ｉｂ−Ｉａ）の数値からゴルフクラブヘッド２０の質量にこの距離の自乗を掛けた積を減算することによって補正することができる。
この補正方法によってゴルフクラブヘッド２０の第１の慣性モーメントＭ１を得てもよい。このように、ゴルフクラブヘッド２０の第１の慣性モーメントＭ１の測定方法については、特に限定されない。
【００６２】
慣性モーメント測定器６０の回転軸Ｒ及びこの回転軸Ｒがソール部２６を通る点は、慣性モーメント測定器６０により定められるものである。回転軸Ｒは鉛直または概ね鉛直になることが好ましい。
ここで、概ね鉛直とは、鉛直方向に対する傾きが２°以内、好ましくは１°以内のことである。回転軸Ｒを鉛直または概ね鉛直に設定するためには、慣性モーメント測定器６０に設けられた水準器部分を目安に測定器の水平を調整すること、又は測定器を水平に調整された平面板上に設置すること等が考えられる。
上記範囲内に設定することによって、ゴルフクラブヘッド２０の重心Ｇを通り水平面Ｂに直交する第１の直線Ｖを第１の回転軸とする回転軸回りの第１の慣性モーメントＭ１をより正確に測定することができる。
【００６３】
また、治具７０の上面部７２によって支持された平面は水平または概ね水平になることが好ましい。本発明における概ね水平とは、水平面に対する傾きが２°以内、好ましくは１°以内のことである。水平または概ね水平になっているか否かは、図９に示す支持部５２と同様な方法で確認し、調整することができる。
上記範囲内に設定することによって、ゴルフクラブヘッド２０の第１の慣性モーメントＭ１をより正確に測定することができる。
【００６４】
また、治具７０は、治具自体の重心位置が回転軸Ｒに一致もしくは概ね一致するように慣性モーメント測定器６０に装着されることが好ましい。概ね一致とは、図１３に示すように治具７０の重心位置をＣとすると、重心位置Ｃと回転軸Ｒとの距離δを２ｍｍ以内、好ましくは１ｍｍ以内とすることである。
治具７０の重心位置Ｃを上記範囲内に設定することによって、ゴルフクラブヘッド２０の第１の慣性モーメントＭ１をより正確に測定することができる。
【００６５】
次に、第２の慣性モーメントＭ２の測定方法について説明する。
本発明において、第２の慣性モーメントＭ２は、第１の慣性モーメントＭ１と同様にして測定される。
第２の慣性モーメントＭ２を測定する場合、図１４に示すように、治具７０の上面部７２に粘着体７４を介してゴルフクラブヘッド２０のサイド部３０を固定する。このため、慣性モーメント測定器６０に治具７０を固定し、さらに治具７０の表面粘着体７４を設けた状態で、治具７０の慣性モーメントＩａを測定する。
次に、図１４に示すように、治具７０の上面部７２に粘着体７４を介してゴルフクラブヘッド２０のサイド部３０を固定して、ゴルフクラブヘッド２０および治具７０の合計の慣性モーメントＩｂを測定する。次に、得られた各慣性モーメントＩａ、Ｉｂから、（Ｉｂ−Ｉａ）よりゴルフクラブヘッド２０の第２の慣性モーメントＭ２を得る。
【００６６】
第２の慣性モーメントＭ２の測定に際しても、ゴルフクラブヘッド２０は、重心Ｇを通り、第１の直線Ｖ（図３参照）と直交する第２の直線ＬＨと、慣性モーメント測定器６０の捩れ振動の回転軸Ｒとが、一致もしくは概ね一致するように慣性モーメント測定器６０に固定されることが好ましい。
概ね一致とは、回転軸Ｒと、第２の直線ＬＨとの距離が３ｍｍ以内、好ましくは２ｍｍ以内、より好ましくは１ｍｍ以内とすることである。
この範囲内にとなるように、ゴルフクラブヘッド２０のサイド部３０を固定することによって、より正確にゴルフクラブヘッド２０の第２の慣性モーメントＭ２を測定することが可能になる。なお、重心Ｇの位置は、上述した重心位置の後退量ＧＲを測定することにより求められる。
本発明においては、以上のように、ゴルフクラブヘッド２０について、重心高さＦＧＨ、第１の慣性モーメントＭ１および第２の慣性モーメントＭ２、ならびに重心位置の後退量ＧＲが測定される。
【００６７】
次に、本発明の第２の実施形態について説明する。
図１５（ａ）は、本発明の第２の実施形態に係るゴルフクラブを示す正面図であり、（ｂ）は、本発明の第２の実施形態に係るゴルフクラブを示す側面図である。図１６は、本発明の第１の実施形態に係るゴルフクラブを示す平面図である。図１７は、本発明の第２の実施形態に係るゴルフクラブを示す模式的断面図である。なお、図１５（ｂ）、図１６および図１７においては、ゴルフクラブシャフト３６の図示を省略している。
なお、本実施形態においては、図１〜図４に示す第１の実施形態のゴルフクラブと同一構成物には、同一符号を付して、その詳細な説明は省略する。
【００６８】
本実施形態のゴルフクラブ１０ａ（ゴルフクラブヘッド２０ａ）は、第１の実施形態のゴルフクラブ１０（ゴルフクラブヘッド２０）（図１〜図３参照）に比して、バック体２４ａの構成が異なり、フェース部２２側の最大高さＨｆと、バック領域８２ｂ側におけるバック体２４の最大高さＨｂとの比、Ｈｆ／Ｈｂが３．０を超え、トウ−ヒール方向におけるゴルフクラブヘッド２０ａの幅Ｗと、フェース面２２ａの幅Ｗｆとの比、Ｗ／Ｗｆが１．２０〜１．３５である点が異なり、それ以外の構成は、第１の実施形態のゴルフクラブ１０（ゴルフクラブヘッド２０）と同様であるため、その詳細な説明は省略する。
【００６９】
本実施形態において、バック体２４ａは、図１５（ａ）に示すように、ソール部８０、クラウン部８２、サイド部８４およびホーゼル部８６を有する。これらは、第１の実施形態のソール部２６、クラウン部２８、サイド部３０およびホーゼル部３２と基本的に同じ構成である。また、ホーゼル部８６には、ゴルフクラブシャフト３６が挿入される開口部８８が設けられている。
このバック体２４ａは、図１６に示すように、トウ側のサイド領域８２ａが、第１の実施形態よりも張り出しており、かつフェース面２２ａの幅Ｗｆが狭い。また、本実施形態のゴルフクラブヘッド２０ａは、フェース部２２と対向する側であるバック領域８２ｂ側におけるバック体２４ａの最大高さＨｂが低く、Ｈｆ／Ｈｂが３．０を超えている。このゴルフクラブヘッド２０ａも、従来のゴルフクラブヘッドと比較して、平面視において矩形に近い形状を呈する。
【００７０】
本実施形態においては、Ｗ／Ｗｆを１．２０〜１．３５とすることにより、フェース部２２の大きさを従来のものと同程度にすることができる。このため、フェース面２２ａの面積が大きくなり、重心位置がトウ側になることが抑制され、打球がスライスすることも抑制される。さらには、Ｗ／Ｗｆを１．２０〜１．３５とすることにより、フェース面２２ａが小さく見える錯覚が抑制され、従来のゴルフクラブヘッドと変わらない使用感が得られ、スイングがしやすく、打ちやすい。
【００７１】
なお、本実施形態のゴルフクラブヘッド２０ａは、これ以外、図１７に示すように、重心Ｇを通り水平面Ｂに直交する垂直な第１の直線Ｖを第１の回転軸とする回転軸回りの第１の慣性モーメントＭ１は、５０００〜６７００ｇ・ｃｍ２に調整されている。
また、重心Ｇを通り水平面Ｂと平行であり、かつトウ−ヒール方向に延びる第２の直線ＬＨを回転軸とする回転軸回りの第２の慣性モーメントＭ２も３５００〜５０００ｇ・ｃｍ２に調整されている。
また、本実施形態においても、重心高さＦＧＨは、フェースセンタＦｃからクラウン２８に向う方向において、中心線ｍ１に沿った距離ｄが１０ｍｍ以内に調整されていることが好ましい。さらには、ゴルフクラブヘッド２０ａの重心位置の後退量ＧＲも２５〜３５ｍｍであることが好ましい。
【００７２】
また、本実施形態のゴルフクラブヘッド２０ａにおいても、体積は４００〜４７０ｃｍ３であり、質量は１８０〜２２０ｇである。また、フェース部２２のフェース面２２ａの長さＤも４５〜６０ｍｍである。さらに、フェース部２２のフェース面２２ａの面積は４０ｃｍ２以下であることが好ましく、フェース部２２のフェース面２２ａはトウ−ヒール方向における曲率が３５０〜７００ｍｍであることが好ましい。このフェース面２２ａの曲率は、単一であることが好ましいが、フェース面２２ａが複数の曲面により形成され、曲率が複数種あるものでもよい。
また、ゴルフクラブヘッド２０ａの寸法は、Ｒ＆Ａ（イギリスゴルフ協会）が定めるゴルフ規則範囲内であることが好ましい。このゴルフクラブヘッドの寸法とは、例えば、トウ−ヒール方向の寸法、およびトウ−ヒール方向と直交するフェース面２２ａからバック体２４ａに向かう方向における寸法のことである。
【００７３】
なお、本実施形態のゴルフクラブ１０ａ（ゴルフクラブヘッド２０ａ）においては、重心高さＦＧＨ、第１の慣性モーメントＭ１および第２の慣性モーメントＭ２、ならびに重心位置の後退量ＧＲなどの測定方法は、第１の実施形態と同様（図５〜図１４参照）であるため、その詳細な説明は省略する。
【００７４】
本実施形態のゴルフクラブ１０ａ（ゴルフクラブヘッド２０ａ）においては、フェース面２２ａの長さＤを従来のものと同じ程度にし、第１の慣性モーメントＭ１を５０００〜６７００ｇ・ｃｍ２とし、第２の慣性モーメントＭ２を３５００〜５０００ｇ・ｃｍ２とし、トウ−ヒール方向におけるゴルフクラブヘッド２０ａの幅Ｗとフェース面２２ａの幅Ｗｆとの比、Ｗ／Ｗｆを１．２０〜１．３５とすることにより、第１の慣性モーメントＭ１および第２の慣性モーメントＭ２を所定の大きさに保った状態で、フェース部の大きさを従来のものと同程度にでき、フェース面２２ａの面積が大きくなることが抑制される。このため、フェース面２２ａが小さく見える錯覚が抑制され、従来のゴルフクラブヘッドと変わらない使用感が得られ、ゴルフボールを打撃する場合、打ちやすく、加えて、重心位置がトウ側になることが抑制され、打球がスライスすることも抑制される。
さらに、本実施形態のゴルフクラブ１０ａ（ゴルフクラブヘッド２０ａ）においては、第１の慣性モーメントＭ１および第２の慣性モーメントＭ２が所定の大きさに保たれているため、打撃時のゴルフクラブヘッド２０ａのトウ−ヒール方向の回転、およびソール−クラウン方向の回転を抑制することができ、ゴルフボールの打撃する場合、打点位置がばらついても、ゴルフボールの初速の低下を少なくすることができ、所定の飛距離が得られるとともに、かつ方向性のばらつきもなく、方向安定性が優れる。
【００７５】
以上、本発明のゴルフクラブヘッド、およびゴルフクラブについて説明したが、本発明は上述の実施形態に限定はされず、本発明の要旨を逸脱しない範囲において、各種の改良または変更を行ってもよいのは、もちろんである。
【実施例】
【００７６】
以下、本発明のゴルフクラブヘッドの実施例について、具体的に説明する。
本実施例においては、下記表１に示す基準例、実験例１、実験例２、実験例３および実験例４の各ゴルフクラブヘッドについて、平均飛距離、打球の方向性および打ちやすさを評価項目として、評価試験を行った。各項目の評価結果を下記表２に示す。
【００７７】
本実施例においては、各ゴルフクラブヘッドに全て同じゴルフクラブシャフトを取り付けてゴルフクラブを作製し、評価試験を行った。
また、本実施例の各試験は、特に断りがないかぎり、ゴルフボールには、横浜ゴム社製
ＴＲＸ（商品名）ボールを用いた。
なお、下記表１に示す「Ｈｆ」は、フェース部側の最大高さであり、「Ｈｂ」は、バック領域側におけるバック体の最大高さであり、「Ｗ」は、トウ−ヒール方向における幅であり、「Ｗｆ」は、フェース面の幅であり、「ｄ」は、クラウン２８に向う方向における点ｇとフェースセンタＦｃとの距離のことである。
【００７８】
下記表２に示す平均飛距離については、各実験例のゴルフクラブについて、ヘッドスピードが３４ｍ／秒〜５０ｍ／秒の範囲のアマチュアゴルファとプロゴルファとの合計１００人の各人に各１０球ずつ試打して得られた平均値を求めた。この場合、基準例で得られた平均値を１００として、各実験例の飛距離を数値で表した。
【００７９】
また、下記表２に示す打球の方向性は、打球の方向安定性を評価するものであり、目標に対して、どの程度ばらついたかを判断した結果であり、相対的な評価である。この評価項目の打球の方向性については、平均飛距離の評価と同様に各人が各１０球ずつ試打して、打球がどの程度ばらついたかについて、点数を付けてもらい、その平均値を求めた。この場合、基準例で得られた平均値を１００として、各実験例の打球の方向性を数値で表した。
【００８０】
さらに、下記表２に示す、打ちやすさは、打撃時の打ちやすさを判断した結果であり、相対的な評価である。この評価項目の打ちやすさについては、平均飛距離の評価と同様に各１０球ずつ試打して、打球感の良否について、点数を付けてもらい、その平均値を求めた。この場合、基準例で得られた平均値を１００として、各実験例の打ちやすさを数値で表した。
【００８１】
【表１】
2008220665.tif 000003
【００８２】
【表２】
2008220665.tif 000004
【００８３】
上記表１に示す基準例は、Ｈｆ／ＨｂおよびＷ／Ｗｆが、小さいものであり、従来のゴルフクラブヘッドである。
また、上記表１に示す実験例１および実験例２は、全ての項目が本発明の範囲に入るものであり、上記表２に示すように平均飛距離、打球の方向性、および打ちやすさのいずれもが基準例よりも更に優れたものであった。
上記表１に示す実験例３は、Ｈｆ／Ｈｂが大きいものであるが、Ｈｂが基準例より小さい影響が大きく、上記表２に示すように、平均飛距離、打球の方向性、および打ちやすさは、基準例よりも優れたものであった。
上記表１に示す実験例４は、Ｗ／Ｗｆが大きいものであるが、Ｗｆが基準例より小さくてもフェース面が小さく見える錯覚が抑制され、上記表２に示すように、平均飛距離、打球の方向性、および打ちやすさは、基準例よりも優れたものであった。
本発明のゴルフクラブヘッドにおいては、上記表２に示すように、Ｗ／ＷｆおよびＨｆ／Ｈｂのいずれかが基準例よりも大きい場合には、平均飛距離、打球の方向性、および打ちやすさが、基準例（従来のゴルフクラブヘッド）よりも優れる。
【図面の簡単な説明】
【００８４】
【図１】（ａ）は、本発明の第１の実施形態に係るゴルフクラブを示す正面図であり、（ｂ）は、本発明の第１の実施形態に係るゴルフクラブを示す側面図である。
【図２】本発明の第１の実施形態に係るゴルフクラブを示す平面図である。
【図３】本発明の第１の実施形態に係るゴルフクラブを示す模式的断面図である。
【図４】ゴルフクラブを通常のアドレスポジションに設置する状態を説明するための模式図である。
【図５】ゴルフクラブヘッドの重心の後退量の測定に用いる測定装置を示す模式図である。
【図６】ゴルフクラブヘッドの重心の後退量の測定方法を説明するための模式図である。
【図７】本発明における重心高さを規定するために用いる重心測定器を示す模式図である。
【図８】（ａ）および（ｂ）は、図３中の点ｇを見出すときの重心測定器を用いた測定方法を説明するための模式図である。
【図９】重心測定器を用いる時の測定方法の一部を説明するための模式図である。
【図１０】ゴルフクラブヘッドの慣性モーメントを測定する慣性モーメント測定器を示す模式的斜視図である。
【図１１】（ａ）および（ｂ）は、図１０に示す第１の慣性モーメントの測定方法を工程順に示す模式図である。
【図１２】（ａ）〜（ｃ）は、第１の慣性モーメントを測定する際におけるゴルフクラブヘッドを治具に固定する固定位置を説明するための模式図である。
【図１３】第１の慣性モーメントを測定する際におけるゴルフクラブヘッドを治具に固定する固定位置の好ましい形態を説明するための模式図である。
【図１４】ゴルフクラブヘッドの第２の慣性モーメントの測定方法を説明するための模式図である。
【図１５】（ａ）は、本発明の第２の実施形態に係るゴルフクラブを示す正面図であり、（ｂ）は、本発明の第２の実施形態に係るゴルフクラブを示す側面図である。
【図１６】本発明の第２の実施形態に係るゴルフクラブを示す平面図である。
【図１７】本発明の第２の実施形態に係るゴルフクラブを示す模式的断面図である。
【符号の説明】
【００８５】
１０  ゴルフクラブ
２０  ゴルフクラブヘッド
２２  フェース部
２４、２４ａ  バック体
２６  ソール部
２８  クラウン部
３０  サイド部
３２  ホーゼル部
４０  天秤計
５０  重心測定器
６０  慣性モーメント測定器
Ｂ  水平面
【図１】
2008220665.tif 000005
【図２】
2008220665.tif 000006
【図３】
2008220665.tif 000007
【図４】
2008220665.tif 000008
【図５】
2008220665.tif 000009
【図６】
2008220665.tif 000010
【図７】
2008220665.tif 000011
【図８】
2008220665.tif 000012
【図９】
2008220665.tif 000013
【図１０】
2008220665.tif 000014
【図１１】
2008220665.tif 000015
【図１２】
2008220665.tif 000016
【図１３】
2008220665.tif 000017
【図１４】
2008220665.tif 000018
【図１５】
2008220665.tif 000019
【図１６】
2008220665.tif 000020
【図１７】
2008220665.tif 000021